(57)【要約】【課題】コーヒー抽出器や加湿器等の水タンクから水受け部側に止水弁を介して水を供給する水供給装置の水供給性能を向上させる。【解決手段】水タンクと、該水タンクの一端側開口部に設けられたキャップ部と、該キャップ部に設けられた水流出口を閉じる止水弁と、上記水流出口を介して流出されてくる水を所定量貯留した後に所要部に供給する水受け部と、該水受け部側の上記水流出口に対応する位置にあって、上記水受け部に水タンクが設置された時に上記水流出口内に挿入されて上記止水弁を開く止水弁開放部材とを備えてなる水供給装置であって、上記止水弁を、上記キャップ部の水流出口の入口側を開閉するように一端側を支点として上下方向に回動可能となったフラップ構造のものとして、確実な水の供給を可能とした。【選択図】        図３
2010196933.tif 000002
【特許請求の範囲】
【請求項１】
水タンクと、該水タンクの一端側開口部に設けられたキャップ部と、該キャップ部に設けられた水流出口を閉じる止水弁と、上記水流出口を介して流出されてくる水を所定量貯留した後に所要部に供給する水受け部と、該水受け部側の上記水流出口に対応する位置にあって、上記水受け部に水タンクが設置された時に上記水流出口内に挿入されて上記止水弁を開く止水弁開放部材とを備えてなる水供給装置であって、上記止水弁が、上記キャップ部の水流出口の入口側を開閉するように一端側を支点として上下方向に回動可能となったフラップ構造のものよりなることを特徴とする水供給装置。
【請求項２】
止水弁の開放部材を扁平な板状部材とし、止水弁の裏面側平面に対してクロス状態で作用するように位置させたことを特徴とする請求項１記載の水供給装置。
【請求項３】
キャップ部に、止水弁を有する水流出口とは別に水タンク内上方の空間部まで延びる筒体で囲まれた空気の出入口を設け、該空気出入口に逆止弁を設け、水受け部に水タンクが設置された時に同逆止弁を水受け部側の逆止弁開放部材で開閉するようにするとともに、上記水流出口の水受け部側水貯留部内への出口部の長さを、上記空気出入口の出口部の長さよりも長くしたことを特徴とする請求項１又は２記載の水供給装置。
【発明の詳細な説明】
【技術分野】
【０００１】
本願発明は、コーヒー抽出器や加湿器等の装置本体の水受け部を有する水タンク設置部に対して着脱可能に設置される水タンクを備え、同水タンク内の水を開閉可能な止水弁を介して水受け部から装置本体側の所要の給水部に供給するようにした水供給装置の水供給部の構造に関するものである。
【背景技術】
【０００２】
例えばドリップ式のコーヒー抽出器は、所望量の水を貯留することができる水タンクと該水タンクが着脱可能に装着される水タンク設置部を備えた抽出器本体とからなり、抽出器本体の水タンク設置部には、下方側散水装置部分に水又は湯を注ぐための水受け部（水受けトレー）が設けられている。上記水タンクは、下部側開口部に止水弁（逆止弁）を備えたキャップ部（螺合蓋）を有し、該キャップ部を外し、かつ開口部を上にした状態で水を入れ、その後、再び同キャップ部を螺合し、かつ開口部を下にした状態で上記抽出器本体の水タンク設置部に設置される。抽出器本体側の水タンク設置部には、上記水タンク側キャップ部を着脱可能に嵌合し、同嵌合状態において水タンクから水受け部への給水を可能とする給水構造が採用されており、同水タンク設置部の水受け部には、上記水タンク設置時に上記キャップ部の止水弁を水タンク内に押し上げて水タンク内の水が流出されるようにする止水弁開放軸と水タンクから流出した水を貯留する水貯留部が設けられており、上記止水弁が開放されると、上記水タンク内の水が一旦水受け部の水貯留部に貯留され、その後同水貯留部に貯留された水が、そのまま又は所定の加熱部を介して加熱された後に下方側のコーヒードリップ流路又は散水装置部分に供給されるように構成されている（例えば特許文献１を参照）。
【０００３】
また、例えば室内の空気を加湿する加湿器の場合にも、水タンクの下方側開口部には止水弁（逆止弁）を備えたキャツプ部（螺合蓋）が着脱可能に設けられており、該水タンク内に上述のようにして水を入れ、同様にキャップ部側を下にして加湿器本体側の止水弁開放軸を有する水受け部を備えた水タンク設置部に対して同様の嵌合状態で設置されるようになっている。そして、同嵌合状態において水受け部に貯留された水が所要の給水流路を介して所定の加湿手段に供給されるようになっている（例えば特許文献２を参照）。
【先行技術文献】
【特許文献】
【０００４】
【特許文献１】特許第３６９８１４６号公報
【特許文献２】特開２００６−３２９４６７号公報
【発明の概要】
【発明が解決しようとする課題】
【０００５】
以上のような水供給構造の水供給装置では、少なくとも水タンクと水受け部が上下に積層されることになり、その水頭差を利用してドリップ流路又は散水部、加湿部等必要な部分に有効に水を供給することができる。
【０００６】
しかし、上記のような構成の水供給装置の場合、次のような問題がある。
【０００７】
すなわち、同構成では、その何れの場合にあっても、上記止水弁１３が、例えば図８に示すような中心部に所定の太さの弁軸１３ｅを有するリフト型（上下昇降型）の開閉弁により形成されているため、弁体１３ｃ（シート１３ｄ）の開口時の高さ（ストローク）を大きくするには限界があり（弁軸１３ｅの長さが長くなる）、弁体１３ｃ（１３ｄ）とキャップ部１５の水流出口１１との間の開放時の隙間（間隔）を大きくすることができない。
【０００８】
また、水流出口１１の中心部に円柱状の所定の太さの弁軸１３ｅが存在し、その外周囲に閉弁付勢用のコイルスプリングが設けられることから、例えば図９に示すように、実際の水流出口１１自体の開口断面積が小さく、しかも同開口部１１の断面形状がドーナツ状のものとなるために、弁軸１３ｅの外周を旋回状態で水が流出することになり、水の流れが乱れて気泡が発生しやすく、圧損や粘性抵抗（流動抵抗）も高くなることから、スムーズに水の流出が実現されない。
【０００９】
この傾向は、水タンク内の水量が減少して、水頭差が小さくなるほど一層顕著になる。
【００１０】
本願発明は、このような問題を解決するためになされたもので、止水弁を上下方向に水平な状態で昇降するリフト型のものからフラップ型のものに変え、また同フラップ型の止水弁を扁平な板状の止水弁突き上げ部材で突き上げて開放させることにより、水流出口の流入側空間を大きく開放させるとともに、水流出口の断面積を大きくし、かつ水タンクから流出する水の旋回をなくすなどして気泡の発生を抑制し、よりスムーズな水の流出を可能とした水供給装置を提供することを目的とするものである。
【課題を解決するための手段】
【００１１】
本願発明は、上記の問題を解決するために、次のような有効な課題解決手段を備えて構成されている。
【００１２】
（１）  請求項１の発明の課題解決手段
この発明の課題解決手段は、水タンクと、該水タンクの一端側開口部に設けられたキャップ部と、該キャップ部に設けられた水流出口を閉じる止水弁と、上記水流出口を介して流出されてくる水を所定量貯留した後に所要部に供給する水受け部と、該水受け部側の上記水流出口に対応する位置にあって、上記水受け部に水タンクが設置された時に上記水流出口内に挿入されて上記止水弁を開く止水弁開放部材とを備えてなる水供給装置であって、上記止水弁が、上記キャップ部の水流出口の入口側を開閉するように一端側を支点として上下方向に回動可能となったフラップ構造のものよりなることを特徴としている。
【００１３】
このような構成によると、水流出口の開口径の全てを有効に利用することができ、かつ水流出口の入口側を閉じている止水弁が上方側に垂直状態に近くなるまで大きく開放され、しかも同開放状態におけるフラップ構造の止水弁が水流出口内への水ガイド板の作用を果たすようになる。
【００１４】
したがって、水流出口部における水タンク側から水受け部側への水の流出がスムーズになり、効率の良い給水を可能とすることができる。その結果、水タンク内の水量が減少して、水頭差が小さくなったようなばあいにも、スムーズな水の流出が実現される。
【００１５】
（２）  請求項２の発明の課題解決手段
この発明の課題解決手段は、上記請求項１の発明の課題解決手段において、上記止水弁の開放部材を扁平な板状部材とし、止水弁の裏面側平面に対してクロス状態で作用するように位置させたことを特徴としている。
【００１６】
このような構成によると、キャップ部の水流出口の断面形状が一対の半円形状の組み合わせとなり、従来のドーナツ状のものに比べて口径を拡大することができるとともに、従来のドーナツ状の場合のように流出する水が旋回しないようになり、流れの乱れが解消されて、気泡が発生しにくくなる。
【００１７】
その結果、より水の流出がスムーズになり、その流出量を増大させることができる。
【００１８】
（３）  請求項３の発明の課題解決手段
この発明の課題解決手段は、上記請求項１又は２の発明の課題解決手段において、キャップ部に、止水弁を有する水流出口とは別に水タンク内上方の空間部まで延びる筒体で囲まれた空気の出入口を設け、該空気出入口に逆止弁を設け、水受け部に水タンクが設置された時に同逆止弁を水受け部側の逆止弁開放部材で開閉するようにするとともに、上記水流出口の水受け部側水貯留部内への出口部の長さを、上記空気出入口の出口部の長さよりも長くしたことを特徴としている。
【００１９】
このような構成によると、水受け部に水タンク内の水が給水されると、上記空気出入口のところで、一旦給水がストップする。そして、その後、水受け部の水の水位が減少すると、上記空気出入口から空気のみが補充されるので、その分水流出口から水が流出し、再び空気出入口の位置でストップする。水タンク内に水がある限り、その水位如何にかかわらず、この作用が繰り返される。その結果、水受け部内の水の水位をほぼ一定に保つことができるようになる。
【００２０】
これにより水受け部以降の給水は水圧、水量共にほぼ一定での供給が可能となる。したがって、従来のような給水途中での水圧減少による給水作用の停止はなくなる。また空気と水の経路を分けているので、従来のように水と空気が同じ出口から同時に入れ替わるというようなことがなく、気泡も発生しにくい。その結果、水タンクから水受け部側への水の流出を一層スムーズなものにすることができる。
【発明の効果】
【００２１】
以上の結果、本願発明の水供給装置によると、水タンク内の残水量如何に関係なく、常に有効な水量を水受け部側に安定して供給できるようになる。
【００２２】
その結果、コーヒーメーカーや加湿器等の製品の信頼性を向上させることができる。
【図面の簡単な説明】
【００２３】
【図１】本願発明の実施の形態１に係るコーヒー抽出器の全体的な構成（外観）を示す側面図である。
【図２】同コーヒー抽出器全体の前後方向の縦断面図である。
【図３】同コーヒー抽出器における水タンク設置部の構成を示す前後方向の拡大縦断面図である。
【図４】同コーヒー抽出器における水タンク設置部の構成を示す左右方向の拡大縦断面図である。
【図５】同コーヒー抽出器における水タンクキャップ部の止水弁開放部材と水流出口との関係を示す説明図である。
【図６】本願発明の実施の形態２に係る加湿器の全体的な構成を示す斜視図である。
【図７】同加湿器の左右方向の縦断面図である。
【図８】従来のコーヒーメーカー等の水供給装置の止水弁の構成を示す断面図である。
【図９】同従来の止水弁と水流出口との関係を示す説明図（図８のＡ−Ａ断面図）である。
【発明を実施するための形態】
【００２４】
＜実施の形態１＞
先ず図１〜図５は、この出願の発明の水供給装置を採用して構成した、この出願の発明の実施の形態１に係るコーヒー抽出器の構成を示している。
【００２５】
この実施の形態のコーヒー抽出器は、一例として水出しコーヒーとホットコーヒーの両方が楽しめる水と湯の２流路方式が採用されている。そして、そのコーヒー抽出器本体（筺体部）１は、例えば図１〜図４に示すように、側方から見て全体にコの字形の構造体となっており、その下部側水平部がコーヒーサーバー載置台２に、また上部側水平部が水受けトレー４、貯水タンク８、散水ケース１０等を備えた水タンク設置部３にそれぞれ形成され、それらの間の空き空間部分にコーヒーサーバー（図示省略）が取り出し自由に収納セットされるようになっている。水タンク設置部３とコーヒーサーバー載置台２とは、背面側に位置して上下方向に伸びる水平断面が略コの字状の本体支柱５によって相互に連結一体化されている。
【００２６】
コーヒーサーバー載置台２は、上方から見ると略等径の前円後方形状をなしており、その上面側がコーヒーサーバーの載置面２１に形成されているとともに、その内側には電気ヒータ２２を並設一体化した加熱管２３が配設されている。電気ヒータ２２には、電源ライン２４を介して加熱に必要なＡＣ電源が供給され、上記水受けトレー４の水貯留部４ａから水供給管９ａを介して供給されて上記加熱管２３内を流れる水を所望の温度（例えば１００℃）の湯に加熱するようになっている。
【００２７】
加熱管２３は、例えば平面Ｕ状に形成（後方側一側から前方に延び、前方側で他側部側にＵターンして再び後方側に戻る形に形成）され、その一端側には水供給管９ａの一端が、またその他端側には後述する貯水タンク８側への湯供給管９ｂの一端がそれぞれ接続されている。上記水供給管９ａは、本体支柱５の上下に延びる空間内を通して上方側水タンク６下方の水受けトレー４の水貯留部４ａ底部の扇形の開口部に対して流路切替弁７を介して配設されている。
【００２８】
上記流路切替弁７は、水貯留部４ａ側に開口した図示扇形の開口を水ドリップ側貯水タンク８への流路と湯ドリップ側加熱管２３の水供給管９ａへの流路とに選択的に切り替えるロータリー弁となっている。
【００２９】
また湯供給管９ｂは、その流出端側が本体支柱５内を通して上記上方側水タンク設置部３内の貯水タンク８の上部に上下方向にＵ状の屈曲部１９を介して逆流を生じないようにして延設され、同貯水タンク８の上部に加熱された湯を供給するようになっている（湯ドリップ時の場合）。
【００３０】
水タンク設置部３は、その上部側に凹溝部形状の水受けトレー４を設けて水タンク６を着脱可能に設置している一方、その下方側には貯水タンク８、散水ケース１０を設けている。
【００３１】
水タンク６は、下部側開口部６ａに、水流出口１１、空気出入口１２、それらの各々に対応する止水弁１３，逆止弁１４を備えたキャップ部（螺合蓋）１５を有している。そして、同キャップ部１５を外し、かつ開口部６ａを上にした状態で水を入れ、その後、再び同キャップ部１５を螺合し、かつ開口部６ａを下にした状態で上記水タンク設置部３の水受けトレー４上に設置される。
【００３２】
水受けトレー４には、上記水タンク６側のキャップ部１５部分を着脱可能に嵌合し、同嵌合状態において上記水タンク６から水受けトレー４の水貯留部４ａ内への給水を可能とする給水構造が採用されており、同水受けトレー４の水貯留部４ａ内には、上記水タンク６が設置された時に、上記キャップ部１５の止水弁１３，逆止弁１４を水タンク６内に押し上げて水タンク６内の水が流出されるようにする止水弁開放部材１６，逆止弁開放部材１７が設けられており、それにより上記止水弁１３，逆止弁１４が開放されると、上記水タンク６内の水が一旦水受けトレー４の水貯留部４ａに貯留され、その後同水貯留部４ａに貯留された水が、そのまま又は前述の水供給管９ａおよび加熱管２３を介して加熱された後に湯供給管９ｂを介してリターンされ、下方側の貯水タンク８、散水ケース１０部分に順次供給される。
【００３３】
この実施の形態の場合、上記水流出口１１の止水弁１３は、上記キャップ部１５の水流出口１１の入口側（上端側）を開閉するように、その一端１３ａ側を支点（支持部２０）として他端１３ｂ側が上下方向に回動可能となったフラップ（円形板）構造のものよりなっている。
【００３４】
このような構成によると、水流出口１１の開口径の全てを有効に利用することができ、かつ水流出口１１の入口側を閉じている止水弁１３が上方側に略垂直状態に近くなるまで大きく開放され、しかも同開放状態におけるフラップ構造の弁体が水流出口１１内への水ガイド板の作用を果たすようになる。
【００３５】
したがって、水流出口１１部分における水タンク６側から水受けトレー４側水貯留部４ａ内への水の流出がスムーズになり、効率の良い給水を可能とすることができる。その結果、水タンク６内の水量が減少して、水頭差が小さくなったような場合にも、スムーズな水の流出が実現される。
【００３６】
また、この実施の形態では、上記止水弁１３の開放部材１６を扁平な板状部材とし、止水弁１３の裏面側平面に対してクロス状態で作用するように位置させている（図３および図４を参照）。
【００３７】
このような構成によると、キャップ部１５の水流出口１１の断面形状が、例えば図５に示すように、一対の半円形状の組み合わせとなり（斜線部参照）、図９に示した従来のドーナツ状のもの（斜線部）に比べて相当に口径を拡大することができるとともに、同従来のドーナツ状の場合のように流出する水が旋回しないようになり、流れの乱れが解消されて、気泡が発生しにくくなる。
【００３８】
その結果、より水の流出がスムーズになり、その流出量を有効に増大させることができる。
【００３９】
さらに、この実施の形態の場合、例えば図３に示すように、それらの構成に加えて、上述の水タンク６側キャップ部１５の内側には、、上記止水弁１３を有する水流出口１１とは別にキャップ部１５から水タンク６内上方の空間部まで延びる筒体２１で囲まれた空気の出入口１２を設け、該空気出入口１２に対して上記水流出口１１の止水弁１３と同様のフラップ構造の逆止弁１４を設け、水流出口１１の場合と同様に水受けトレー４側に設けた同様の板状の逆止弁開放部材１７で開閉するようにしている。
【００４０】
そして、その上で、上記水流出口１１の出口側（水受けトレー４の水貯留部４ａ側）には、所定の長さの円筒部１１ａを付加することによって、空気出入口１２側よりも水流出口１１の出口部の長さを長くしている。
【００４１】
このような構成によると、上記止水弁１３が開かれて水受けトレー４の水貯留部４ａ内に水タンク６内の水が給水されると、上記空気出入口１２のところで同給水が一旦ストップする。そして、その後、水貯留部４ａ内の水位が減少すると、今度は上記空気出入口１２から空気のみが補充されるので、その分水流出口１１から水タンク６内の水が流出して給水されるが、再び初期のように空気出入口１２の位置までくるとストップする。そして、上記水タンク６内に給水可能な水がある限り、その水位如何にかかわらず、この作用の繰り返しが行われるので、水受けトレー４の水貯留部４ａ内の水の水位は、ほぼ一定に保たれる。
【００４２】
これにより、水受けトレー４の水貯留部４ａ以降の給水は水圧、水量共にほぼ一定での供給が可能となる。したがって、従来のような給水途中での水圧減少による給水作用の停止はなくなる。また空気と水の経路を別にし、完全に使い分けているので、従来のように水と空気が同じ出口から同時に入れ替わるというようなことがなく、気泡も発生しにくいので、水タンク６から水受けトレー４側への水の流出を一層スムーズなものにすることができる。
【００４３】
これらの結果、本願発明の水供給装置によると、水タンク６内の残水量如何に関係なく、常に有効な一定の水量を水受けトレー４部側に安定して供給できるようになる。
【００４４】
その結果、コーヒーメーカーの信頼性を一層向上させることができる。
【００４５】
なお、符号３１は上記水タンク設置部３の下部側本体プレートであり、同下部側本体プレート３１の前端３１ａは、上部側カバープレート３２の前端３２ａと係合されて相互に一体化され、当該水タンク設置部３を形成しているとともに、その前後方向中間部には内側に設けられている上記貯水タンク８の下部側をカバーするように取り付けられる散水ケース１０を着脱可能に係合する係合口３１ｃが形成されている。そして、同係合口３１ｃに対して、散水孔１０ａ，１０ａ・・・を有する受け皿形状の散水ケース１０が、その外周部に設けたヘリコイド係合片を介して係合されるようになっている。また、同本体プレート３１の後端３１ｂ側は、上述した背面側本体支柱５の前面側プレートとして下方側コーヒーサーバー載置台２の上面まで延設されている。
【００４６】
一方、上記上部側カバープレート３２は、その中央部下方側に下部側本体プレート３１との間で貯水タンク収納空間を形成して、上述の貯水タンク８を収納しているとともに、その後端側３２ｂは載置される上記水タンク６の高さの約半分の高さだけ上方側に略直角に曲成されて起立した後、上記本体支柱５内を下方側から上方に延びてくる（戻ってくる）上述した湯供給管９ｂの上端側Ｕ状部１９をカバーするように水平方向後方に曲成された後、さらに下方に向けて延設されて、上記本体支柱５の背面側プレートを形成している。これにより、水タンク６の背面側に所定の高さの上端側支柱壁を形成している。
【００４７】
そして、上記凹溝状の水受けトレー４は、上述した構造の水タンク６およびそのキャップ部１５を図示のように嵌合し得る状態で上記カバープレート３２の内側に形成された筒状の凹部内に設置されている。
【００４８】
貯水タンク８は、上述した水受けトレー４の水貯留部４ａからの水および湯供給管９ｂからの湯が供給される深さの浅い皿状の容器体よりなる本体ケーシング８１と、該本体ケーシング８１の上部に嵌合され、本体ケーシング８１の上方部を覆うカバーケーシング８２とからなり、その下方に水タンク設置部３の下部側本体プレート３１の係合口３１ｃに係合されることによって、上記本体ケーシング８１の下方部を覆う受け皿形状の散水ケース１０が設けられている。
【００４９】
＜実施の形態２＞
次に図６および図７は、本願発明の実施の形態２に係る加湿器の構成を示している。
【００５０】
すでに述べたように、本願発明の水供給装置は加湿器の水供給装置として構成することも可能である。
【００５１】
この加湿器４０は、例えば図６および図７に示すように、本体ケース４１と、該本体ケース４１の右側部に形成された水タンク設置部４３に対して着脱可能に設置される水タンク４６等からなっている。本体ケース４１は合成樹脂製の部材であり、フロントケース４２ａ、リアケース４２ｂ、トップケース４４及びボトムケース４５よりなり、その上部には、例えば図７に示すように、外部空気吸込口５１ａ、シロッコファン（多翼遠心ファン）５２を備えたスクロール通路５１ｂ、空気吹出口５１ｃからなる送風機５１と加湿空気吹出通路５３および吹出口５４が、上方から下方に、下方から上方にＵターンする形で左右方向に並設されている。
【００５２】
そして、それらの下部（Ｕターン部）には、上記スクロール通路５１ｂを介して吹き込まれる外部空気を加湿する加湿手段として、多数枚の円板状のフィルタプレートを並設して構成したロータリフィルタ５０を有する加湿空間４９ａが設けられており、上記外部空気吸込口５１ａ、スクロール通路５１ｂ、シロッコファン５２、空気吹出口５１ｃを介して上方側から供給される外部空気を、上記ロータリフィルタ５０のフィルタプレート間を通すことによって加湿した後に、上方側にＵターンさせて上記加湿空気吹出通路５３、加湿空気吹出口５４を通して室内に吹き出す。
【００５３】
上記加湿空間４９ａは、底部に所定量の水が留められた水容器４９内に形成されており、同水容器４９内の水中にフィルタプレートの下部側を浸漬した状態で、上記ロータリフィルタ５０がモータ５５により回転駆動される形で設けられている。
【００５４】
そして、ロータリフィルタ５０の回転により、そのフィルタプレートを介して上方側通風空間位置に水容器底部側の水をポンピングする形で外部空気を加湿する。
【００５５】
ところで、この場合にも上記水タンク設置部４３は、その上部側に凹溝部形状の水受けトレー４４を設けて水タンク４６を着脱可能に設置している一方、その左側方には、上述の実施の形態１の場合の貯水タンクに該当する上記水容器４９を設けている。
【００５６】
水タンク４６は、その下部側開口部４６ａに、上記実施の形態１のものと同様に、水流出口１１、空気出入口１２、それらの各々に対応する止水弁１３，逆止弁１４を備えたキャップ部（螺合蓋）１５を有している。そして、同キャップ部１５を外し、かつ開口部４６ａを上にした状態で水を入れ、その後、再び同キャップ部１５を螺合し、かつ開口部４６ａを下にした状態で上記水タンク設置部４３の水受けトレー４４上に設置される。
【００５７】
水受けトレー４４には、上記水タンク４６側のキャップ部４５部分を着脱可能に嵌合し、同嵌合状態において上記水タンク４６から水受けトレー４４の水貯留部４４ａ内への給水を可能とする給水構造が採用されており、同水受けトレー４４の水貯留部４４ａ内には、上記水タンク４６が設置された時に、上記キャップ部１５の止水弁１３，逆止弁１４を、それぞれ図示のように水タンク４６内に押し上げて水タンク４６内の水が流出されるようにする止水弁開放部材１６，逆止弁開放部材１７が設けられており、それにより上記止水弁１３，逆止弁１４が開放されると、上記水タンク４６内の水が一旦水受けトレー４４の水貯留部４４ａ部分に貯留され、その後同水貯留部４４ａに貯留された水が、給水通路４４ｂを介して水容器４９内に供給される。
【００５８】
そして、この実施の形態の場合にも、上記水流出口１１の止水弁１３は、上記キャップ部１５の水流出口１１の入口側（上端側）を開閉するように、その一端側を支点（支持部２０）として他端側が上下方向に回動可能となったフラップ（円形板）構造のものよりなっている。
【００５９】
このような構成によると、水流出口１１の開口径の全てを有効に利用することができ、かつ水流出口１１の入口側を閉じている止水弁１３が上方側に略垂直状態に近くなるまで大きく開放され、しかも同開放状態におけるフラップ構造の弁体が水流出口１１内への水ガイド板の作用を果たすようになる。
【００６０】
したがって、水流出口１１部分における水タンク４６側から水受けトレー４４側水貯留部４４ａ内への水の流出がスムーズになり、効率の良い給水を可能とすることができる。
【００６１】
その結果、水タンク４６内の水量が減少して、水頭差が小さくなったような場合にも、スムーズな水の流出が実現される。
【００６２】
また、この実施の形態では、上記止水弁１３の開放部材１６を扁平な板状部材とし、止水弁１３の裏面側平面に対してクロス状態で作用するように位置させている（図７を参照）。
【００６３】
このような構成によると、キャップ部１５の水流出口１１の断面形状が、前述の図５に示すように、一対の半円形状の組み合わせとなり（斜線部参照）、図９に示した従来のドーナツ状のもの（斜線部）に比べて相当に口径を拡大することができるとともに、同従来のドーナツ状の場合のように流出する水が旋回しないようになり、流れの乱れが解消されて、気泡が発生しにくくなる。
【００６４】
その結果、より水の流出がスムーズになり、その流出量を有効に増大させることができる。
【００６５】
さらに、この実施の形態の場合、図７に示すように、それらの構成に加えて、上述の水タンク４６側キャップ部１５の内側には、、上記止水弁１３を有する水流出口１１とは別にキャップ部１５から水タンク４６内上方の空間部まで延びる筒体２１で囲まれた空気の出入口１２を設け、該空気出入口１２に対して上記水流出口１１の止水弁１３と同様のフラップ構造の逆止弁１４を設け、水流出口１１の場合と同様に水受けトレー４４側に設けた同様の板状の逆止弁開放部材１７で開閉するようにしている。
【００６６】
そして、その上で、上記水流出口１１の出口側（水受けトレー４４の水貯留部４４ａ側）には、所定の長さの円筒部１１ａを付加することによって、空気出入口１２側よりも水流出口１１の出口部の長さを長くしている。
【００６７】
このような構成によると、上記止水弁１３が開かれて水受けトレー４４の水貯留部４４ａ内に水タンク４６内の水が給水されると、上記空気出入口１２のところで注水が一旦ストップする。そして、その後、水貯留部４４ａ内の水位が減少すると、今度は上記空気出入口１２から空気のみが補充されるので、その分水流出口１１から水タンク４６内の水が流出し給水されるが、再び初期のように空気出入口１２の位置までくるとストップする。そして、上記水タンク４６内に給水可能な水がある限り、その水位如何にかかわらず、この作用の繰り返しが行われるので、水受けトレー４４の水貯留部４４ａ内の水の水位は、ほぼ一定に保たれる。
【００６８】
これにより、水受けトレー４４の水貯留部４４ａ以降の水容器４９側への給水は水圧、水量共にほぼ一定での供給が可能となる。したがって、従来のような給水途中での水圧減少による給水作用の停止はなくなる。また空気と水の経路を別にし、完全に使い分けているので、従来のように水と空気が同じ出口から同時に入れ替わるというようなことがなく、気泡も発生しにくいので、さらに水タンク４６から水受けトレー４４側への水の流出を一層スムーズなものにすることができる。
【００６９】
これらの結果、本願発明の水供給装置によると、水タンク４６内の残水量如何に関係なく、常に有効な一定の水量を水受けトレー４４側に安定して供給できるようになる。
【００７０】
その結果、加湿器の信頼性を一層向上させることができる。
【符号の説明】
【００７１】
１はコーヒー抽出器本体、３は水タンク設置部、４は水受けトレー、４ａは水貯留部、６は水タンク、６ａは開口部、８は貯水タンク、１１は水流出口、１２は空気出入口、１３は止水弁、１４は逆止弁、１５はキャップ部、１６は止水弁開放部材、１７は逆止弁開放部材、４０は加湿器、４１は加湿器本体、４４は水受けトレー、４４ａは水貯留部、４６は水タンク、４９は水容器、５０はロータリフィルタである。
【図１】
2010196933.tif 000003
【図２】
2010196933.tif 000004
【図３】
2010196933.tif 000005
【図４】
2010196933.tif 000006
【図５】
2010196933.tif 000007
【図６】
2010196933.tif 000008
【図７】
2010196933.tif 000009
【図８】
2010196933.tif 000010
【図９】
2010196933.tif 000011